(57)【特許請求の範囲】
【請求項１】
端部にスリーブが固着された大径管と、このスリーブを介して大径管内に伸縮自在に挿入されると共に引き出されたときに端部に固着されたストッパーがスリーブの端部に当接されるようになされた小径管とからなる伸縮管において、スリーブは大径管内に挿入される挿入部と大径管の端部外壁を覆う被覆部とからなり、前記被覆部と挿入部内に挿入された小径管の外壁との間に位置している挿入部の外壁部分に、該外壁をコ字状に切り欠いて外方に突出させた弾発係止部が設けられると共に該弾発係止部が大径管側壁に設けられた係止孔に係止されていることを特徴とする伸縮管。
【請求項２】
端部にソケットが固着された大径管と、このソケットを介して大径管に継ぎ足される小径管とからなる継ぎ足し管において、前記ソケットの内壁には雌ネジが螺設されると共に、小径管の端部には雄ネジが設けられて、該雄ネジが前記雌ネジに螺入されることにより、小径管が大径管に継ぎ足されるようになされ、前記ソケットは大径管内に挿入される挿入部と大径管の端部外壁を覆う被覆部とからなり、前記被覆部と挿入部内に挿入された小径管の外壁との間に位置している挿入部の外壁部分に、該外壁をコ字状に切り欠いて外方に突出させた弾発係止部が設けられると共に該弾発係止部が大径管側壁に設けられた係止孔に係止されていることを特徴とする継ぎ足し管。
【発明の詳細な説明】
【０００１】
【発明の属する技術分野】
本発明は、伸縮式の物干し竿や、相対する壁面間に圧着取り付けられる圧着ポールや圧着棚を構成する伸縮管に関する。
【０００２】
【従来の技術】
【特許文献１】
特開平８−２９９６９０号公報
従来、大径管とこの大径管に伸縮自在に挿入された小径管からなる伸縮管においては、大径管へのスリーブの固着は接着によっていた。
又、特開平８−２９９６９０号公報には、一端にスリーブが固着された外パイプと、内端にストッパ部が設けられ該外パイプに伸縮自在に挿入された内パイプとを、備えた伸縮物干竿に於て、上記スリーブのパイプ挿入内筒部の内端側から長手方向に複数本のスリットを形成し、かつ、上記内パイプと外パイプが最伸長状態となるストロークエンドにて上記スリーブのパイプ挿入内筒部の内周面に突入するテーパ部を、上記ストッパ部の一部に形成したことを特徴とする伸縮物干竿が提案されている。
【０００３】
【発明が解決しようとする課題】
しかしながら上記の如き大径管にスリーブを接着剤で固着する方法においては、接着強度のバラツキが大きく、小径管が大径管から抜けてしまうという問題が起きることがあった。
【０００４】
そこで本発明者は従来の欠点に鑑み鋭意研究の結果、接着強度が低いときも小径管が大径管から抜けてしまうことがない伸縮管を提供するものである。
【０００５】
【課題を解決するための手段】
本発明請求項１記載の伸縮管は、端部にスリーブが固着された大径管と、このスリーブを介して大径管内に伸縮自在に挿入されると共に引き出されたときに端部に固着されたストッパーがスリーブの端部に当接されるようになされた小径管とからなる伸縮管において、スリーブは大径管内に挿入される挿入部と大径管の端部外壁を覆う被覆部とからなり、前記被覆部と挿入部内に挿入された小径管の外壁との間に位置している挿入部の外壁部分に、該外壁をコ字状に切り欠いて外方に突出させた弾発係止部が設けられると共に該弾発係止部が大径管側壁に設けられた係止孔に係止されているので、大径管とスリーブの接着が外れても、前記弾発係止部と係止孔が係止され、小径管が大径管から抜けてしまうことがない。
【０００６】
又、本発明請求項２記載の継ぎ足し管は、端部にソケットが固着された大径管と、このソケットを介して大径管に継ぎ足される小径管とからなる継ぎ足し管において、前記ソケットの内壁には雌ネジが螺設されると共に、小径管の端部には雄ネジが設けられて、該雄ネジが前記雌ネジに螺入されることにより、小径管が大径管に継ぎ足されるようになされ、前記ソケットは大径管内に挿入される挿入部と大径管の端部外壁を覆う被覆部とからなり、前記被覆部と挿入部内に挿入された小径管の外壁との間に位置している挿入部の外壁部分に、該外壁をコ字状に切り欠いて外方に突出させた弾発係止部が設けられると共に該弾発係止部が大径管側壁に設けられた係止孔に係止されているので、大径管とスリーブの接着が外れても、前記弾発係止部と係止孔が係止され、小径管が大径管から抜けてしまうことがない。
【０００７】
【発明の実施の形態】
以下、図面を参照しながら本発明に付いて説明する。
図１は本発明伸縮管の実施形態の一例を示す要部の断面図である。図に於いて１は大径管であり、この大径管１の端部にはスリーブ３の挿入部３１が挿入されこの挿入部３１の端部に嵌着された被覆部３３が大径管１の端部を覆っている。小径管２は端部にストッパー４が固着され小径管２が引き出されたときにスリーブ３の端部に当接され、それ以上小径管２が引き出されないようになされている。
【０００８】
スリーブ３は挿入部３１と被覆部３３からなり、挿入部３１の外面には弾性を有する突部が設けられ弾発係止部３２となされている弾発係止部３２は挿入部３１の側壁がコ字形に切り欠かれ方形の板状の外壁が鏃状に隆起されたもので、大径管１内に挿入部３１が挿入されると挿入部３１の外壁から突出している弾発係止部３２が挿入部３１内に弾性変形して押し込まれ、大径管１に設けられた係止孔１１の所で当初の状態に起きあがり、弾発係止部３２が係止孔１１に係止される。
【０００９】
図２は本発明継ぎ足し管の実施形態の一例を示す要部の断面図である。図に於いて１は大径管であり、この大径管１の端部にはソケット５の挿入部５１が挿入されこの挿入部５１の端部に嵌着された被覆部５３が大径管１の端部を覆っている。小径管２は端部に雄ネジ６が設けられている。ソケット５の挿入部５１の内壁には雌ネジ５４が設けられており、小径管２の端部に設けられた雄ネジ６と螺合し、継ぎ足されるようになっている。又、挿入部５１の外面には弾性を有する突部が設けられ弾発係止部５２となされている弾発係止部５２は挿入部５１の側壁がコ字形に切り欠かれ方形の板状の外壁が鏃状に隆起されたもので、大径管１内に挿入部５１が挿入されると挿入部５１の外壁から突出している弾発係止部５２が挿入部５１内に弾性変形して押し込まれ、大径管１に設けられた係止孔１１の所で当初の状態に起きあがり、弾発係止部５２が係止孔１１に係止される。
【００１０】
本発明における管体は、ステンレス鋼管やアルミ合金管などの金属管、鋼管に合成樹脂を被覆した被覆鋼管などが好適に用いられる。又、スリーブ３は合成樹脂を射出成型したものが好適に用いられる。用いられる合成樹脂の種類は特に限定されるものではないが、ＡＡＳ樹脂やＡＢＳ樹脂などが好適に用いられる。
【００１１】
【発明の効果】
上述の如く、本発明請求項１記載の伸縮管は、端部にスリーブが固着された大径管と、このスリーブを介して大径管内に伸縮自在に挿入されると共に引き出されたときに端部に固着されたストッパーがスリーブの端部に当接されるようになされた小径管とからなる伸縮管において、スリーブは大径管内に挿入される挿入部と大径管の端部外壁を覆う被覆部とからなり、前記被覆部と挿入部内に挿入された小径管の外壁との間に位置している挿入部の外壁部分に、該外壁をコ字状に切り欠いて外方に突出させた弾発係止部が設けられると共に該弾発係止部が大径管側壁に設けられた係止孔に係止されているので、大径管とスリーブの接着が外れても、前記弾発係止部と係止孔が係止され、小径管が大径管から抜けてしまうことがない。又、小径管のストッパーを緩めた状態で伸縮管を傾斜させたときなど、小径管のストッパーが衝撃的にソケットに当たったりしたときなども小径管が大径管から抜け落ちることがない。
【００１２】
又、本発明請求項２記載の継ぎ足し管は、端部にソケットが固着された大径管と、このソケットを介して大径管に継ぎ足される小径管とからなる継ぎ足し管において、前記ソケットの内壁には雌ネジが螺設されると共に、小径管の端部には雄ネジが設けられて、該雄ネジが前記雌ネジに螺入されることにより、小径管が大径管に継ぎ足されるようになされ、前記ソケットは大径管内に挿入される挿入部と大径管の端部外壁を覆う被覆部とからなり、前記被覆部と挿入部内に挿入された小径管の外壁との間に位置している挿入部の外壁部分に、該外壁をコ字状に切り欠いて外方に突出させた弾発係止部が設けられると共に該弾発係止部が大径管側壁に設けられた係止孔に係止されているので、大径管とスリーブの接着が外れても、前記弾発係止部と係止孔が係止され、小径管が大径管から抜けてしまうことがない。又、小径管のストッパーを緩めた状態で伸縮管を傾斜させたときなど、小径管のストッパーが衝撃的にソケットに当たったりしたときなども小径管が大径管から抜け落ちることがない。
【図面の簡単な説明】
【図１】本発明伸縮管の実施形態の一例を示す断面図である。
【図２】本発明継ぎ足し管の実施形態の一例を示す断面図である。
【図３】本発明におけるスリーブの例を示す断面図である。
【図４】図３の直交方向の断面図である。
【符号の説明】
１ 大径管
１１ 係止孔
２ 小径管
３ スリーブ
３１ 挿入部
３２ 弾発係止部
３３ 被覆部
４ ストッパー
５ ソケット
５１ 挿入部
５２ 弾発係止部
５３ 被覆部
５４ 雌ネジ
６ 雄ネジ
【図１】
0004478406.tif 000002
【図２】
0004478406.tif 000003
【図３】
0004478406.tif 000004
【図４】
0004478406.tif 000005